(57)【要約】【課題】厚形の瓦の上にも取り付けることができ、勾配の調整が容易で、取付強度が強い屋根上パネルの装着具及びこの装着具を用いた屋根上パネルの装着方法を提供する。【解決手段】固定部材２と、保持部材３とからなり、  前記固定部材２は前記保持部材３を任意の箇所で固定可能に構成された連結部２ａと、固定金具を挿通可能な固定孔２ｂ１が穿設された下部板２ｂとを有しており、  下部板２ｂには横長で前記下部板２ｂの幅よりも長く、断面形状が一端４ａで薄く他端４ｂで厚いテーパー形状の支持部材４が少なくとも２個回動可能に設けられていることを特徴とする屋根上パネルの装着具、及びこれを用いた装着方法である。【選択図】図１
2014237967.tif 000002
【特許請求の範囲】
【請求項１】
屋根上パネルを敷設材上に装着するための装着具であって、敷設材に固定される固定部材と、屋根上パネル又は屋根上パネルを取り付けるための取付部材を保持するための保持部材とからなる装着具本体と、該装着具本体の下方に設けられた少なくとも２個の支持部材とからなり、
前記支持部材が装着具本体の幅よりも長く、幅方向に一端が薄く他端が厚いテーパー形状であり、
前記支持部材が前記装着具本体に回動可能に取り付けられ、該支持部材が該装着具本体と重なり合った状態から片側又は両側に引き出した状態に出退可能であることを特徴とする屋根上パネルの装着具。
【請求項２】
装着具本体が、敷設材に固定される固定部材と、屋根上パネル又は屋根上パネルを取り付けるための取付部材を保持するための保持部材とからなり、
前記固定部材は前記保持部材を任意の箇所で固定可能に構成された連結部と、固定金具を挿通可能な固定孔が穿設された下部板とを有しており、
前記下部板に支持部材が回動可能に取り付けられていることを特徴とする請求項１記載の屋根上パネルの装着具。
【請求項３】
下部板には一定間隔で固定孔Ａが列設されており、
支持部材には、その長さ方向の中心線に沿って一定間隔で中心孔Ｂが列設され、前記下部板と前記支持部材が重なり合ったときに前記固定孔Ａと前記中心孔Ｂが連通孔となり、この連通孔の一つに軸装して該支持部材が回動可能に取り付けられていることを特徴とする請求項２に記載の屋根上パネルの装着具。
【請求項４】
支持部材の中心孔Ｂの両側に、該支持部材が片側又は両側に引き出されたときに下部板の固定孔Ａと連通する周辺孔Ｃが穿設されていることを特徴とする請求項２又は３に記載の屋根上パネルの装着具。
【請求項５】
敷設材が波形の場合は、２個の支持部材の間隔は波形の頂部の間隔よりも大きいことを特徴とする請求項１〜４のいずれかに記載の屋根上パネルの装着具。
【請求項６】
請求項１〜５のいずれかに記載の屋根上パネルの装着具の支持部材を装着具本体の片側又は両側に引き出して使用することを特徴とする屋根上パネルの装着具の使用方法。
【請求項７】
請求項１〜５のいずれかに記載の屋根上パネルの装着具の支持部材を装着具本体と重ね合わせて使用することを特徴とする屋根上パネルの装着具の使用方法。
【請求項８】
野地板上に敷設された敷設材に、請求項２〜５のいずれかに記載の屋根上パネルの装着具の下部板に列設された固定孔Ａと、支持部材の中心孔Ｂ、及び／又は、周辺孔Ｃと連通する貫通孔を穿設し、
前記貫通孔と固定孔Ａと中心孔Ｂが連通するように且つ支持部材のテーパー形状の厚い方が上流側に向くように前記屋根上パネルの装着具を前記敷設材上に載置し、
前記支持部材を、前記装着具本体の片側又は両側に引き出すか、又は、前記装着具本体と重ね合わせ、
固定金具を貫通孔及び固定孔Ａと、中心孔Ｂ、及び／又は、周辺孔Ｃに挿入してから、野地板に打ち込んで屋根上パネルの装着具を敷設材上に固定し、
しかる後、屋根上パネル又は屋根上パネルを取り付けるための取付部材を保持部材により保持することを特徴とする屋根上パネルの装着方法。
【発明の詳細な説明】
【技術分野】
【０００１】
本発明は太陽電池モジュール等の屋根上パネルを屋根に固定するための装着具に関し、更に詳しくは、縦桟や横桟が不要で部品点数が少なく施工が容易であるとともに、１種類の部材で多種類の瓦に対応できる屋根上パネルの装着具及び装着方法に関するものである。
【背景技術】
【０００２】
近年、エネルギーコストの上昇により様々な代替エネルギーが求められているが、そのうちの１つとして、太陽エネルギーの利用が行われている。具体的には太陽光を直接電気に変換する太陽電池モジュール、太陽熱により水を温めて風呂の湯等として用いる太陽熱温水器、同じく空気を温めて暖房等に用いる空気集熱器等があるが、これらは通常パネル状のユニットとされて屋根の上に設置される（これらのパネル状のユニットを屋根上パネルと称する）。
【０００３】
このような屋根上パネルを瓦や厚形スレート等の敷設材が敷設された厚形の瓦屋根の上に設置する方法としては、従来より、瓦を取り外して補強材を介して支持金具を野地板や垂木に対して釘で固定し、瓦を置き、必要に応じて防水処理を施し、支持金具に架台を固定し、架台に太陽電池モジュールを固定する方法（例えば特許文献１の図３）が採られていた。しかしながら、一旦瓦を取り外す方法は工程が複雑で施工時間が長く、コスト高になる。また、瓦を取り外す際に誤って損傷することも多く、予備の瓦が必要であるが、施工する屋根に応じて多種類の予備瓦を用意する必要が生じる。さらに、瓦を取り外した後には釘孔が残り、また、瓦を取り外す際にアスファルトルーフィングや防水シートが傷ついたり破れたりすることがあるが、その補修がうまくいかない場合には雨漏りの原因になる。
【０００４】
そこで、既存の瓦を取り外す必要がない屋根上パネルの固定具及び固定方法が、種々提案されている。例えば、摺動板を有する長尺の固定部材と摺動板上を摺動する調節部材からなり、既存の瓦の表面に固定部材を直接固定するように構成され、上記したような、既存の瓦を取り外すことによる問題を解消することができる固定具や固定方法が提案されている（特許文献２参照）。
【先行技術文献】
【特許文献】
【０００５】
【特許文献１】特開２０００−２２１９３号公報（図３）
【特許文献２】特開２０１０−２４６６８号公報（図１）
【発明の概要】
【発明が解決しようとする課題】
【０００６】
しかしながら、特許文献２の固定具は、敷設材と固定具の間に勾配調整部材を介設して、固定具を野地板と平行に取り付けると屋根上パネルと固定具の取付強度が高まるため好ましいが、この場合には部品点数が増え、施工や部品の管理が煩雑になる。
また、特許文献２の固定具を含む従来の固定具は、一般に細長い形状からなり、接地面積が小さいため取付強度や安定性が十分でなく、上方から大きな荷重がかかると瓦が割れる場合があり、従って耐久性においても十分に満足し得る状態とは云い難い。
本発明は、かかる実情に鑑み、上記従来技術の問題点を解決し、厚形の瓦の上にも取り付けることができ、勾配の調整が容易で、取付強度が強く、耐久性に優れた屋根上パネルの装着具及び装着方法を提供することを課題とする。
【課題を解決するための手段】
【０００７】
上記課題を解決するための本発明の特徴は、屋根上パネルを敷設材上に装着するための装着具であって、敷設材に固定される固定部材と、屋根上パネル又は屋根上パネルを取り付けるための取付部材を保持するための保持部材とからなる装着具本体と、該装着具本体の下方に設けられた少なくとも２個の支持部材とからなり、前記支持部材が装着具本体の幅よりも長く、幅方向に一端が薄く他端が厚いテーパー形状であり、前記支持部材が前記装着具本体に回動可能に取り付けられ、該支持部材が該装着具本体と重なり合った状態から片側又は両側に引き出した状態に出退可能である屋根上パネルの装着具である。
【０００８】
本発明の別の特徴は、装着具本体が、敷設材に固定される固定部材と、屋根上パネル又は屋根上パネルを取り付けるための取付部材を保持するための保持部材とからなり、前記固定部材は前記保持部材を任意の箇所で固定可能に構成された連結部と、固定金具を挿通可能な固定孔が穿設された下部板とを有しており、前記下部板に支持部材が回動可能に取り付けられている上記の屋根上パネルの装着具である。
【０００９】
本発明の更に別の特徴は、下部板には一定間隔で固定孔Ａが列設されており、支持部材には、その長さ方向の中心線に沿って一定間隔で中心孔Ｂが列設され、前記下部板と前記支持部材が重なり合ったときに前記固定孔Ａと前記中心孔Ｂが連通孔となり、この連通孔の一つに軸装して該支持部材が回動可能に取り付けられている上記の屋根上パネルの装着具である。
【００１０】
本発明の更に別の特徴は、支持部材の中心孔Ｂの両側に、該支持部材が片側又は両側に引き出されたときに下部板の固定孔Ａと連通する周辺孔Ｃが穿設されている上記の屋根上パネルの装着具である。
【００１１】
本発明の更に別の特徴は、敷設材が波形の場合は、２個の支持部材の間隔は波形の頂部の間隔よりも大きい上記の屋根上パネルの装着具である。
【００１２】
本発明の更に別の特徴は、上記の屋根上パネルの装着具の支持部材を装着具本体の片側又は両側に引き出して使用する屋根上パネルの装着具の使用方法である。
【００１３】
本発明の更に別の特徴は、上記の屋根上パネルの装着具の支持部材を装着具本体と重ね合わせて使用する屋根上パネルの装着具の使用方法である。
【００１４】
本発明の更に別の特徴は、野地板上に敷設された敷設材に、上記の屋根上パネルの装着具の下部板に列設された固定孔Ａと、支持部材の中心孔Ｂ、及び／又は、周辺孔Ｃと連通する貫通孔を穿設し、前記貫通孔と固定孔Ａと中心孔Ｂが連通するように且つ支持部材のテーパー形状の厚い方が上流側に向くように前記屋根上パネルの装着具を前記敷設材上に載置し、前記支持部材を、前記装着具本体の片側又は両側に引き出すか、又は、前記装着具本体と重ね合わせ、固定金具を貫通孔及び固定孔Ａと、支持部材の中心孔Ｂ、及び／又は、周辺孔Ｃに挿入してから、野地板に打ち込んで屋根上パネルの装着具を敷設材上に固定し、しかる後、屋根上パネル又は屋根上パネルを取り付けるための取付部材を保持部材により保持する屋根上パネルの装着方法である。
【発明の効果】
【００１５】
本発明の屋根上パネルの装着具は、装着具本体の下方に、幅方向に一端が厚く他端が薄いテーパー形状の支持部材が少なくとも２個回動可能に設けられているため、装着具の傾きを容易に野地板と同じに調整することができるとともに、瓦の傾斜とも合わせることが可能である。
また、支持部材を装着具本体の片側又は両側に引き出した状態で使用することにより、横方向から応力がかかった場合でも装着具が傾くのが防止され、さらに、上方向から大きな荷重がかかった場合でも、その荷重が支持部材全体に分散されるので、瓦が割れることがなく、屋根上パネルを安定的に敷設材の上に装着することができ、耐久性も向上する。
【００１６】
また、装着具を使用しない場合には、支持部材を装着具本体と重なり合った状態とすることにより、嵩張らないコンパクトな形状となり、取り扱い性や、輸送や保管効率が向上する。
【００１７】
また、装着具本体としては、敷設材に固定される固定部材と、屋根上パネル又は屋根上パネルを取り付けるための取付部材を保持するための保持部材とからなり、前記固定部材は前記保持部材を任意の箇所で固定可能に構成された連結部と、固定金具を挿通可能な固定孔が穿設された下部板とを有しており、前記下部板に支持部材が回動可能に取り付けられている構造のものが好ましい。
【００１８】
また、下部板には一定間隔で固定孔Ａが列設されており、支持部材には、その長さ方向の中心線に沿って一定間隔で中心孔Ｂが列設され、前記下部板と前記支持部材が重なり合ったときに前記固定孔Ａと前記中心孔Ｂが連通孔となるように穿設され、この連通孔の一つに軸装して該支持部材が回動可能に取り付けられている屋根上パネルの装着具が好ましい。
【００１９】
また、敷設材が波形の場合は、２個の支持部材の間隔は波形の頂部の間隔よりも大きい屋根上パネルの装着具が好ましい。
【００２０】
また、本発明の屋根上パネルの装着方法としては、野地板上に敷設された２個の敷設材のそれぞれに、屋根上パネルの装着具の下部板に列設された固定孔Ａと、支持部材の中心孔Ｂと連通する貫通孔を穿設し、前記貫通孔と固定孔Ａと中心孔Ｂが連通するように且つ支持部材のテーパー形状の厚い方が上流側に向くように前記屋根上パネルの装着具を前記敷設材上に載置し、前記支持部材を、前記装着具本体の片側又は両側に引き出すか、又は、前記装着具本体と重ね合わせ、固定金具を貫通孔及び固定孔Ａと、中心孔Ｂ、及び／又は、周辺孔Ｃに挿入してから、野地板に打ち込んで屋根上パネルの装着具を敷設材上に固定し、しかる後、屋根上パネル又は屋根上パネルを取り付けるための取付部材を保持部材により保持する方法が好ましい。
【図面の簡単な説明】
【００２１】
【図１】図１は本発明の屋根上パネルの装着具の一例を示す斜視図である。
【図２】図２は図１のＡ−Ａ断面図である。
【図３】図３は図１の装着具における固定部材の平面図である。
【図４】図４は保持部材の一例を示す図であり、（ａ）は正面図、（ｂ）は平面図、（ｃ）は底面図である。
【図５】図５は本発明に係る屋根上パネルの装着具を敷設材に載置した状態の一例を示す正面図である。
【図６】図６は本発明に係る屋根上パネルの装着具を敷設材に載置した状態の他の例を示す正面図である。
【図７】図７は本発明の屋根上パネルの装着具を敷設材上に固定した状態を示す概略図である。
【図８】図８は支持部材を回動させた状態を示す説明図である。
【図９】図９は本発明における支持部材の例を示す平面図である。
【図１０】図１０（ａ）は本発明の屋根上パネルの装着方法において使用される固定金具の例を示す正面図であり、（ｂ）は同じく面状シール材の例を示す平面図である。
【図１１】図１１は、図１０の固定金具及び面状シールを使用し、本発明に係る屋根上パネルを敷設材に装着した状態を示す概略図である。
【図１２】本発明における支持部材をジグザグ状に片側に引き出した状態を示す平面図である（但し、保持部材は省略）。
【図１３】図１３は本発明の屋根上パネルの装着具を用いて屋根上パネルを装着した状態の一例を示す概略図である。
【図１４】図１４は本発明の屋根上パネルの装着具を用いて屋根上パネルを装着した状態の他の例を示す概略図である。
【図１５】図１５は本発明の屋根上パネルの装着具を用いて屋根上パネルを装着した更に他の例を示す概略図である。
【発明を実施するための形態】
【００２２】
本発明の屋根上パネルの装着具は、屋根上パネルを敷設材上に装着するための装着具であって、敷設材に固定される固定部材と、屋根上パネル又は屋根上パネルを取り付けるための取付部材を保持するための保持部材とからなる装着具本体と、該装着具本体の下方に設けられた少なくとも２個の支持部材とからなり、
前記支持部材が装着具本体の幅よりも長く、幅方向に一端が薄く他端が厚いテーパー形状であり、
前記支持部材が前記装着具本体に回動可能に取り付けられ、該支持部材が該装着具本体と重なり合った状態から片側又は両側に引き出した状態に出退可能であることを特徴とする。
【００２３】
本発明の屋根上パネルの装着具は、好ましくは、例えば図１及び図２に示したように、装着具本体が、敷設材に固定される固定部材２と、屋根上パネル又は屋根上パネルを取り付けるための取付部材を保持するための保持部材３とからなり、
前記固定部材２は前記保持部材３を任意の箇所で固定可能に構成された連結部２ａと、固定金具を挿通可能な固定孔２ｂ１が穿設された下部板２ｂとを有しており、
下部板２ｂには幅方向に一端４ａが薄く他端４ｂが厚いテーパー形状の支持部材４が少なくとも２個回動可能に取り付けられている。
【００２４】
本発明の屋根上パネルの装着具１（以下、装着具１と略記する場合がある）は、上記したように、装着具本体を構成する固定部材２と保持部材３とからなり、固定部材２は連結部２ａと下部板２ｂを有する箱状からなっている。
連結部２ａは保持部材３を当該連結部２ａ上の任意の位置で固定するための部分である。図示した例において、連結部２ａは、保持部材３が固定部材２の長さ方向に摺動可能であり、保持部材３内の緊締手段３ｃにより連結部２ａ上の任意の位置で固定されるように構成されている。このような構成には限定されず、例えば非連続的に多数列設された固定用の要素の中から任意の一つを選択して保持部材３を固定するような構造、例えば連結部２ａ上にネジ止め用のネジ孔が多数穿設され、そのうちの一つを選択して保持部材３をネジ止めするような構造であってもよい。
【００２５】
保持部材３の形状や構造は特に限定されず、固定部材２の上で屋根上パネルや、屋根上パネルの取付部材を保持できる構造であればよいが、図４に示した例では、座板３ａと押圧手段３ｂを緊締手段３ｃで接続し、緊締手段３ｃを緊締することにより屋根上パネルを押圧手段３ｂと固定部材２の間で挟持して保持するように構成されている（図７、図１１参照）。
【００２６】
下部板２ｂは固定部材２の底板になる部分であり、図２に示すように、固定金具を挿通するための固定孔Ａ（２ｂ１）が穿設されている。
固定孔Ａ（２ｂ１）は下部板２ｂに少なくとも２個設ければ足りるが、例えば１〜１．５ｃｍ程度の間隔をあけて多数個（具体的な個数は固定部材２の長さにより異なる）を列設すれば、敷設材の種類や大きさ等に応じて使用する固定孔Ａ（２ｂ１）を変えて調整できるので、少ない種類の装着具で多種類の敷設材Ｔに対応することができる。
【００２７】
下部板２ｂには支持部材４が少なくとも２個回動可能に設けられる。支持部材４は装着具本体（図１、図２では固定部材２と保持部材３とから構成）を支持し、装着具の傾きを調整したり、屋根上パネルを安定的に敷設材上に装置するためのものである。支持部材４は、装着具本体（固定部材２）を固定できない場合や、固定強度を高めるために、支持部材４を固定金具で取り付けるためにも用いられる場合がある。支持部材４は横長であり、その長さは下部板２ｂの幅よりも長く形成されているため、図１や図３に示すように、支持部材４を下部板２ｂの横方向に引き出した場合には支持部材４が突出した形状になる。支持部材４の長さについては、敷設材Ｔとしてスレート材等の平板状のものを用いる場合には特に限定されず、下部板２ｂの幅よりも長ければ足りるが、固定部材２にかかる荷重を好適に分散させるため、下部板２ｂの幅の２〜４倍程度とするのが好ましい。
【００２８】
敷設材Ｔが曲面状の瓦である場合には、図５、図６に示すように、屋根の表面には敷設材Ｔの形状に応じた凹凸が形成されるので、支持部材４を形成された凸部の頂部に架設することにより、固定部材２を野地板Ｂに対して平行に保つようにする。従って、支持部材４の長さは、野地板に敷設された敷設材における頂部間の距離Ｌ３よりも大きくなるように構成する必要がある。なお、図５に示すように、敷設された敷設材における頂部間の距離Ｌ３とは、通常の場合は敷設材Ｔの働き幅Ｌ４に等しいため、支持部材４の長さを敷設材Ｔの働き幅Ｌ４よりも長くすればよい。但し、図６に示すように、頂部が２箇所以上存在する波型瓦のような敷設材Ｔを使用する場合には、支持部材４の長さもその頂部間の距離Ｌ３よりも長くなるように構成すればよい。
【００２９】
支持部材４の断面形状は前端で薄く（短く）後端で厚い（長い）テーパー形状である。このような形状としては、典型的には楔型が例示できるがそれに限定されず、例えば図１及び図２に示すように支持部材４に吊設した脚部の厚さ（長さ）を変えた形状であってもよく、即ち、平面上に載置した際に屋根上パネルの装着具１の上側が緩やかな斜面になる形状とされ、その角度は、図７や図１１に示すように、装着具１を敷設材Ｔ上に配置した際に、屋根上パネルの装着具１と野地板Ｂとが略平行となり、また該装着具１と敷設材Ｔの間のガタツキが押さえられるように決定される。
理想的には、支持部材４を平面に載置した際の装着具１上面の傾斜角が、屋根における野地板Ｂと瓦面の角度の差と同程度であることが好ましいが、支持部材４と敷設材Ｔの間に緩衝材（図示せず）を介設することにより多少の角度の差は吸収調節できるので、厳密に同じである必要はない。従って、テーパー形状の角度は通常３〜１０度程度である。
【００３０】
支持部材４は少なくとも２個設けられる。例えば、支持部材４を２個設ける場合、２個の支持部材４の設置間隔は敷設材Ｔの働き長さＬ２とほぼ同一になるように構成される。このようにすれば、図７に示すように、隣接する２個の敷設材Ｔ上における支持部材４の位置がそれぞれほぼ等しくなるので、屋根上パネルの装着具１の傾斜角度が野地板の傾斜角度とほぼ同じになる。
【００３１】
支持部材４は、図１、図２及び図８に示すように、回動可能に取り付けられるが、その場合、支持部材４の幅を下部板２ｂの幅以下とすれば、図８中に二点鎖線で示すように、支持部材４が下部板２ｂの下に入り込むため嵩張らず、取り扱い性や、輸送や保管が容易になる。
上記したように、敷設材Ｔの種類や大きさは千差万別であり、敷設材Ｔの種類に応じて全く別途の装着具１を用意するのは非常に面倒であるので、野地板に敷設された敷設材における頂部間の距離Ｌ３（通常は、使用する敷設材の働き幅Ｌ４）に応じて使用する支持部材４を取り替え、使用する敷設材の働き長さＬ２に応じて支持部材４を取り付ける位置を変更できるように構成するのが好ましい。
例えば、図８に示すように、下部板２ｂに多数の固定孔Ａ（２ｂ１）を設けるとともに、図９に示すように、支持部材４の長さ方向の中線Ｍ１に沿って中心孔Ｂ（４ｃ）を複数設け、固定孔Ａ（２ｂ１）と中心孔Ｂ（４ｃ）において支持部材４を回動可能に取り付けるのが好ましい。図２に示した例では、選択された固定孔Ａ（２ｂ１）と中心孔Ｂ（４ｃ）を連通させ、そこにボルト２ｃを遊嵌してからナット２ｄで締結することにより支持部材４が回動可能に取付けられている。その他にも中心孔Ｂ（４ｃ）に雌ネジを刻設し、この雌ネジと螺合可能なボルト２ｃを固定孔Ａ（２ｂ１）に遊嵌してから中心孔Ｂ（４ｃ）に羅合する方法が例示できる。
【００３２】
また、図８に示した例では、下部板２ｂに一定間隔で固定孔Ａ（２ｂ１）が多数設けられているが、ボルト２ｃが遊嵌された固定孔Ａ（２ｂ１）の両脇の固定孔Ａ（２ｂ１）が支持部材４で塞がれてしまう。一方、固定部材２を敷設材Ｔ上に強固に取り付けるには、図７、図１１に示すように、支持部材４を通して固定金具５を打ち込むのが好適である。そこで、回動可能に設置される支持部材４には、図９に示したような周辺孔Ｃ（４ｄ）を設け、固定孔Ａ（２ｂ１）と周辺孔Ｃ（４ｄ）が連通した状態で固定金具５を打ち込むことができるようにするのが好ましい。
具体的には、下部板２ｂにおける固定孔Ａ（２ｂ１）の設置間隔をＬ５とするとき、中心孔Ｂ（４ｃ）から設置間隔Ｌ５と同一の距離を隔てた位置に周辺孔Ｃ（４ｄ）を設ければよい。そのようにすれば、下部板２ｂと支持部材４を所定の角度で交差させた時に固定孔Ａ（２ｂ１）と周辺孔Ｃ（４ｄ）が連通し、この連通孔を通して固定金具５を強固に打ち込めるようになる。
なお、図９（ａ）には下部板２ｂと支持部材４を９０度の角度で交差させた際に固定孔Ａ（２ｂ１）と周辺孔Ｃ（４ｄ）が連通するように構成された支持部材４が示されているが、交差の角度は９０度には限定されない。例えば、図９（ｂ）には６０度で交差させたときに連通する周辺孔Ｃ（４ｄ１）、４５度で交差させたときに連通する周辺孔Ｃ（４ｄ２）、３０度で交差させたときに連通する周辺孔Ｃ（４ｄ３）が示されている。このように交差角度を変えた周辺孔Ｃ（４ｄ）を穿設することにより、敷設材上の装着場所の状況に応じて屋根上パネルの装着具を適切に装着することができる。
なお、支持部材４の中心孔Ｂ（４ｃ）と周辺孔Ｃ（４ｄ）は、下部板２ｂの固定孔Ａ（２ｂ１）と連通させ固定金具５で打ち込むものを除いては、敷設材に設けた貫通孔と連通させて固定金具により支持部材４を敷設材上に取り付けることにより、装着具を敷設材上に強固に装着するために用いられる。この場合において、固定部材２の下部板２ｂを固定できない場合や、固定強度を高めるために、支持部材４を固定金具５で取り付ける場合もある。
【００３３】
本発明における固定部材２、保持部材３の材質は特に限定されず、アルミニウム、鉄（防錆処理した）、銅、ステンレス等の金属や、ＡＢＳ（アクリロニトリル- ブタジエン- スチレン共重合樹脂）、ＡＡＳ樹脂（アクリロニトリル／アクリルゴム／スチレン）、ＡＥＳ樹脂（アクリロニトリル／エチレンプロピレンゴム／スチレン）、ＡＳ樹脂（アクリロニトリル／スチレン）、ＰＳ樹脂（ポリスチレン樹脂）、ＰＭＭＡ樹脂、ＰＶＣ樹脂、ＭＳ樹脂（メチルメタクリレート／スチレン樹脂）、ＰＰ（ポリプロピレン樹脂）、ＰＥ（ポリエチレン樹脂）、ＰＢＴ（ポリブチレンテレフタレート樹脂）およびＰＣ樹脂（ポリカーボネート樹脂）等の樹脂等が使用可能であるが、屋根上パネルＰや屋根上パネルの取付部材Ｐａを好適に支持し固定できる剛性を有し、耐候性、耐久性に優れている点で金属が好ましく、金属の中でも軽量で耐腐食性が高いアルミニウムが好ましい。固定部材２及び保持部材３については、アルミニウムの押出成形品が好ましい。
【００３４】
本発明の屋根上パネルの装着具１は、支持部材４は装着具本体から所定の角度で両側又は片側に引き出した状態で、又は、装着具本体と重ね合わせた状態で使用される。なお、支持部材４を両側に引き出す場合、両側の引き出し長さは均一でも不均一でもよく、設置場所の状況により決定される。
本発明の屋根上パネルの装着具１を用いて屋根上パネルＰを装着するには、まず、野地板上に敷設された敷設材（通常、２個の敷設材）のそれぞれの適切な位置に貫通孔を穿設する。
適切な位置に貫通孔を穿設する方法は特に限定されないが、例えば本発明の装着具１や、下部板２ｂ及び支持部材４と同じ形状の位置決め部材等を敷設材上に仮置きし、下部板２ｂの固定孔Ａ（２ｂ１）や支持部材４の中心孔Ｂ（４ｃ）、及び／又は、周辺孔Ｃ（４ｄ）に相当する位置決め用の目印を利用して、敷設材上に印を付け、その印の位置にハンドドリル等を用いて敷設材Ｔに貫通孔を穿設する方法が例示できる。
【００３５】
次に、図７に示されるように、穿設された敷設材Ｔの貫通孔と下部板２ｂの固定孔Ａ（２ｂ１）が連通するように装着具１を載置し、固定金具５を該貫通孔及び固定孔Ａ（２ｂ１）、中心孔Ｂ（４ｃ）、及び／又は、周辺孔Ｃ（４ｄ）に挿通して固定金具５を打ち込む。固定金具としては、釘やビス等、従来の装着具を野地板に固定するために用いられる金具が全て好適に使用できる。
なお、野地板Ｂに固定金具５を打ち込むと、固定金具５を打ち込んだ孔から雨水等が野地板Ｂの下に侵入する危険があるので、まず野地板Ｂ上にシール材を配置してから、当該シール材の上から野地板に固定金具５を打ち込むのが好ましい。但し、シール材を配置するために敷設材Ｔを取り除けば、取り除く際にアスファルトルーフィングや防水シート等を傷付ける可能性があるので、敷設材Ｔを取り除かずにシール材を配置する。その具体的な方法としては、図１０（ａ）に示したように、固定金具５の先端部を粘土状シール材５ａで被覆する方法が例示できる。
なお、図７において、野地板Ｂ上のルーフィング材は省略されている。
【００３６】
本発明で使用する粘土状シール材としては特に限定されず、固定金具５の先端に被覆された粘土状シール材５ａが容易に液状にならず、固定金具５との接着性が良好で、野地板Ｂに打ち込んだ際に野地板Ｂの上で盛り上がって固定金具５との隙間をシールする程度の流動性を呈する物質であればどのようなものでも使用できるが、中でもブチルゴム系粘着材が好ましい。市販品としては、例えば、ＳＥＡＬＥＲ社製ブチルリボンテープ（φ５×３０ｍｍ）が好適に使用できる。なお、このブチルリボンテープを用いる場合には、１本のブチルリボンテープを固定金具５の先端からその軸に沿って当てがい、押し広げ、両端を合わせることにより、好適に粘土状シール材５ａで固定金具５の先端部を被覆することができる。
なお、粘土状シール材５ａの量は、固定金具のサイズにもよるが、通常、０．３〜０．７ｇ／本程度が好ましく、約０．５ｇ／本が更に好ましい。粘土状シール材５ａの量が基準量の０．３ｇ／本より少ないと野地板Ｂと固定金具５の止水性が劣る傾向があり、０．７ｇ／本より多くても止水性はそれ以上改良されずにコストだけ上昇する傾向がある。
図１０（ａ）に示した例では、固定金具５の頭部付近にワン座５ｂ及びパッキン５ｃが設けられているが、これにより敷設材Ｔに穿設された貫通孔から野地板Ｂ上に雨水等が侵入するのが防止される。その他、ワッシャや緩衝材など、固定金具に付随して一般的に使用される部材が、本発明でも好適に使用できる。
【００３７】
本発明の装着具１を装着する際には、敷設材Ｔに穿設する貫通孔の上にもシール材を配置して貫通孔からの雨水等の侵入を防止するほうが好ましい。但し、図１０（ａ）に示すような、先端部が粘土状シール材５ａで被覆された固定金具５を使用する場合は、図１０（ｂ）に示すような、中央孔６Ｈが穿設されたものを使用することにより、粘土状シール材５ａが面状シール材６を通過できるようにする。なお、この面状シール材６は敷設材Ｔと支持部材４の間に介設されることになるため、敷設材Ｔを損傷させないように、緩衝材としての機能を有するものを使用するのが好ましい。そのような面状シール材としては、ＥＰＤＭシーラー、軟質ポリウレタンフォーム、ポリエチレンフォーム等が挙げられる。
図１０に示す固定金具５及び面状シール材６を用い、屋根上パネルＰを敷設材Ｔに装着した例を図１１に示す。
【００３８】
図１２は、本発明の屋根上パネルの装着具の２個の支持部材４をジグザグ状に片側に引き出した状態を示す。
【００３９】
図１３〜図１５に、本発明の屋根上パネルの装着具１を用いて屋根上パネルを装着した状態を示す。
図１３及び図１４に示すように、敷設材Ｔ上の適切な位置に装着具１を固定した後、保持部材３で屋根上パネルＰ又は屋根上パネルの取付部材Ｐａを保持する。
図１３は、２個の支持部材４を両側に引き出して、保持部材３により屋根上パネルＰを直接保持した例であり、図１４は、２個の支持部材４をジグザグ状に片側に引き出して、保持部材３により取付部材Ｐａを保持し、この取付部材Ｐａを介して屋根上パネルＰを取付けた例である。更に、図１５は、支持部材４を引き出さずに装着具本体に重ね合わせた屋根上パネルの装着具を横方向に使用した例である。
具体的な取り付け方法は特に限定されないが、屋根上パネルＰを直接保持する方法としては、特許文献２（特開２０１０−２４６６８号公報）で詳述されている方法が例示でき、取付部材Ｐａを使用する例としては、例えば特開2 0 0 6 - 3 2 2 2 3 3 にも記載されているような横桟を取付部材Ｐａとして使用する一般的な方法が例示できる。
【００４０】
以上、本発明を好ましい実施態様の一つである装着具本体に支持部材を回動可能に設けた例について説明したが、本発明の特徴は回動可能に設けられた支持部材にある。
従って、本発明は上記装着具本体に限られず、広く従来の装着具、特に、接地面積が小さく、装着具の取付強度や安定性が十分でない矩形状の装着具に適用されるものである。  なお、本発明において、「固定」と「取り付け」とは同義であり、従って、「固定する」と「取り付ける」、「固定強度」と「取付強度」は、それぞれ同義である。
【産業上の利用可能性】
【００４１】
上記したとおり、本発明の屋根上パネルの装着具は、特殊な形状の敷設材に限られることなく厚形の瓦の上にも直接取り付けることができる。また、既設の敷設材を取り外す必要がないので、瓦や、アスファルトルーフィングや防水シートを傷付ける心配がなく、従って雨漏りを防止することができるとともに、勾配の調整が容易である。また、支持部材を片側又は両側に引き出して使用する場合には、横からの応力や上方からの荷重に対しても強く、装着具及び瓦の耐久性が向上する。更に、支持部材を装着具本体と重ね合わせた状態で使用したり、所望の角度で引き出した状態で使用できるので、装着具の接地場所の状況に応じて自在に装着することができる。
【符号の説明】
【００４２】
１  屋根上パネルの装着具
２  装着具本体、固定部材
２ａ  連結部
２ｂ  下部板
Ａ：２ｂ１  固定孔
２ｃ  ボルト
２ｄ  ナット
３  保持部材
３ａ  座板
３ｂ  押圧手段
３ｃ  緊締手段
４  支持部材
４ａ  一端
４ｂ  他端
Ｂ：４ｃ  中心孔
Ｃ：４ｄ  周辺孔
５  固定金具
５ａ  粘土状シール材
５ｂ  ワン座
５ｃ  パッキン
６  面状シール材
６Ｈ  中央孔
Ｂ  野地板
Ｐ  屋根上パネル
Ｐａ  屋根上パネルの取付部材
Ｔ  敷設材
Ｌ１  支持部材の間隔
Ｌ２  敷設材の働き長さ
Ｌ３  敷設材の頂部間の距離
Ｌ４  敷設材の働き幅
Ｍｌ  中心線
【図１】
2014237967.tif 000003
【図２】
2014237967.tif 000004
【図３】
2014237967.tif 000005
【図４】
2014237967.tif 000006
【図５】
2014237967.tif 000007
【図６】
2014237967.tif 000008
【図７】
2014237967.tif 000009
【図８】
2014237967.tif 000010
【図９】
2014237967.tif 000011
【図１０】
2014237967.tif 000012
【図１１】
2014237967.tif 000013
【図１２】
2014237967.tif 000014
【図１３】
2014237967.tif 000015
【図１４】
2014237967.tif 000016
【図１５】
2014237967.tif 000017